(57)【要約】  無線ローカルエリアネットワークにおいてメディア独立ハンドオーバ（ＭＩＨ）トリガを生成するための方法は、測定値報告要求メッセージを、ネットワーク内の測定エンティティに送信することによって開始する。測定エンティティは、測定値を取得し、測定値報告応答メッセージを、媒体アクセス制御（ＭＡＣ）機能に送信する。ＭＡＣ機能は、測定値を評価し、測定値に基づいて、ハンドオーバ条件が存在するかどうかを決定する。ハンドオーバ条件が存在するならば、ＭＡＣ機能は、ＭＩＨトリガを生成する。
2008533917.tif 000002
【特許請求の範囲】
【請求項１】
無線ローカルエリアネットワークにおいてメディア独立ハンドオーバ（ＭＩＨ）トリガを生成するための方法であって、
測定値報告要求メッセージを、前記ネットワーク内の測定エンティティに送信するステップと、
前記測定エンティティにおいて測定値を取得するステップと、
測定値報告応答メッセージを、媒体アクセス制御（ＭＡＣ）機能に送信するステップと、
前記ＭＡＣ機能によって前記測定値を評価するステップと、
前記測定値に基づいて、ハンドオーバ条件が存在するかどうかを決定するステップと、
前記ハンドオーバ条件が存在するならば、前記ＭＡＣ機能によってＭＩＨトリガを生成するステップと、を含むことを特徴とする方法。
【請求項２】
ハンドオーバを実行するために、前記ＭＩＨトリガを、ＭＩＨ機能に送信するステップをさらに含むことを特徴とする請求項１に記載の方法。
【請求項３】
前記ＭＩＨ機能および前記ＭＡＣ機能は、前記ネットワーク内の同じノード内に配置されることを特徴とする請求項２に記載の方法。
【請求項４】
前記ネットワークは、８０２．１１ベースのネットワークであることを特徴とする請求項１に記載の方法。
【請求項５】
前記ネットワークは、８０２．１６ベースのネットワークであることを特徴とする請求項１に記載の方法。
【請求項６】
無線ローカルエリアネットワークにおいてメディア独立ハンドオーバ（ＭＩＨ）トリガを生成するための方法であって、
ハンドオーバ条件が存在するかどうかを決定するステップと、
前記ハンドオーバ条件が存在するならば、媒体アクセス制御（ＭＡＣ）機能によってＭＩＨトリガを生成するステップと、を含むことを特徴とする方法。
【請求項７】
ハンドオーバを実行するために、前記ＭＩＨトリガを、ＭＩＨ機能に送信するステップをさらに含むことを特徴とする請求項６に記載の方法。
【請求項８】
前記ＭＩＨ機能および前記ＭＡＣ機能は、前記ネットワーク内の同じノード内に配置されることを特徴とする請求項７に記載の方法。
【請求項９】
前記ネットワークは、８０２．１１ベースのネットワークであることを特徴とする請求項６に記載の方法。
【請求項１０】
前記ネットワークは、８０２．１６ベースのネットワークであることを特徴とする請求項６に記載の方法。
【請求項１１】
無線ローカルエリアネットワークにおいてメディア独立ハンドオーバ（ＭＩＨ）トリガを生成するための装置であって、
前記ネットワークにおいて測定値を取得するように構成される測定装置と、
前記測定装置と通信を行い、前記測定装置によって取得された測定値に基づいて、ＭＩＨトリガを生成するように構成される媒体アクセス制御（ＭＡＣ）装置と、
前記ＭＡＣ装置と通信を行い、前記ＭＡＣ装置からの前記ＭＩＨトリガの受信時に、ハンドオーバを実行するように構成されるＭＩＨ装置と、を含むことを特徴とする装置。
【請求項１２】
前記測定装置は、取得された前記測定値を含む測定値報告メッセージを送信するように構成されることを特徴とする請求項１１に記載の装置。
【請求項１３】
前記ＭＡＣ装置は、測定値を取得するように前記測定装置に要求するために、測定値報告要求メッセージを、前記測定装置に送信するように構成されることを特徴とする請求項１２に記載の装置。
【請求項１４】
前記測定値報告要求メッセージは、前記測定装置が測定すべき要素のリストを含むことを特徴とする請求項１３に記載の装置。
【請求項１５】
前記ＭＡＣ装置は、
前記測定装置と通信を行う測定値要求装置と、
前記測定装置と通信を行う測定値評価装置と、
前記測定値評価装置および前記ＭＩＨ装置と通信を行うハンドオーバトリガ装置と、を含むことを特徴とする請求項１１に記載の装置。
【請求項１６】
前記測定値要求装置は、測定値を取得するように前記測定装置に要求するために、測定値報告要求メッセージを、前記測定装置に送信するように構成されることを特徴とする請求項１５に記載の装置。
【請求項１７】
前記測定値報告要求メッセージは、前記測定装置が測定すべき要素のリストを含むことを特徴とする請求項１６に記載の装置。
【請求項１８】
前記測定装置は、取得された前記測定値を含む測定値報告メッセージを、前記測定値評価装置に送信するように構成されることを特徴とする請求項１６に記載の装置。
【請求項１９】
前記測定値評価装置は、前記測定値を評価するように構成され、前記測定値がハンドオーバ条件が存在することを示すならば、前記ハンドオーバトリガ装置に送信されるイベントを生成するように構成されることを特徴とする請求項１５に記載の装置。
【請求項２０】
前記ハンドオーバトリガ装置は、前記イベントの受信時に、ハンドオーバトリガメッセージを、前記ＭＩＨ装置に送信するように構成されることを特徴とする請求項１９に記載の装置。
【請求項２１】
無線ローカルエリアネットワークにおいてメディア独立ハンドオーバ（ＭＩＨ）情報を提供するための通信フレームであって、
ＭＩＨ情報フィールドと、
ＭＩＨ測定モードフィールドと、を含むことを特徴とする通信フレーム。
【請求項２２】
前記ＭＩＨ情報フィールドは、実行されるハンドオーバのタイプの識別子を含むことを特徴とする請求項２１に記載の通信フレーム。
【請求項２３】
前記ＭＩＨ測定モードフィールドは、実行される測定のタイプを指定することを特徴とする請求項２１に記載の通信フレーム。
【発明の詳細な説明】
【技術分野】
【０００１】
本発明は、一般に、無線ローカルエリアネットワーク（ＷＬＡＮ）に関し、より詳細には、ハンドオーバが実行されるべきかどうかを決定するためにトリガを提供するメカニズムに関する。
【背景技術】
【０００２】
メディア独立ハンドオーバ（ＭＩＨ：Ｍｅｄｉａ  Ｉｎｄｅｐｅｎｄｅｎｔ  Ｈａｎｄｏｖｅｒ）の研究において、ハンドオーバプロセスを開始する手段として、下位レイヤ（すなわち、ＭＡＣおよびＰＨＹレイヤ）からハンドオーバイベントの生成をトリガする新しい手順が必要とされるかどうかに関して課題が存在する。トリガは、ハンドオーバが実行されるべきかどうかを決定するために必要とされる。トリガの一例は、特定のリンクレイヤ接続の信号品質が、クライアントステーションがセルの周縁に接近していることを表す事前構成された閾値に達したという事実とすることができる。新しいトリガ手順を導入することには躊躇いが存在する。既存のハンドオーバプロセスは、独自仕様であり、下位レイヤから情報を引き出し、決定を行うのに、ポーリングメカニズムに依存している。
【発明の開示】
【発明が解決しようとする課題】
【０００３】
より高位のレイヤエンティティによって以前に設定された閾値を越える値として特徴付けられる状態変化に基づいて、上位レイヤに向けてのトリガを生成する手順または機能が存在しない。このケースでは、より高位のレイヤエンティティは、ＭＩＨ機能である。したがって、これらのトリガを生成することが可能な方法が必要とされる。
【課題を解決するための手段】
【０００４】
本発明は、８０２．１１ベースおよび８０２．１６ベースのネットワークに適用可能な既存の測定値要求および測定値報告メッセージと同時に、イベントの形式で測定値を要求するために、ＩＥＥＥ８０２．２１規格との関連で使用される、方法およびシステムである。本発明は、同様のメッセージを提供するが、トリガは生成しない、既存の測定メカニズムを利用する。
【０００５】
本発明は、８０２．１１ｋおよび８０２．１６手順を使用して、ＭＩＨトリガを構成する方法を提供する。同位レイヤに向けて測定値報告を生成するのと同時に、トリガがより高位のレイヤに向けて生成される。トリガは、ピアツーピアの測定値報告と独立に生成されることもできるが、下位レイヤからの測定機能を使用する。
【０００６】
ＷＬＡＮにおいてＭＩＨトリガを生成するための方法は、測定値報告要求メッセージを、ネットワーク内の測定エンティティに送信することによって開始する。測定エンティティは、測定値を取得し、測定値報告応答メッセージを、ＭＡＣ機能に送信する。ＭＡＣ機能は、測定値を評価し、測定値に基づいて、ハンドオーバ条件が存在するかどうかを決定する。ハンドオーバ条件が存在するならば、ＭＡＣ機能は、ＭＩＨトリガを生成する。
【０００７】
ＷＬＡＮにおいてＭＩＨトリガを生成するための方法は、ハンドオーバ条件が存在するかどうかを決定するステップと、ハンドオーバ条件が存在するならば、ＭＡＣ機能によってＭＩＨトリガを生成するステップと、を含む。
【０００８】
ＷＬＡＮにおいてＭＩＨトリガを生成するための装置は、測定装置と、ＭＡＣ装置と、ＭＩＨ装置と、を含む。測定装置は、ＷＬＡＮにおいて測定値を取得するように構成される。ＭＡＣ装置は、測定装置と通信を行い、測定装置によって取得された測定値に基づいて、ＭＩＨトリガを生成するように構成される。ＭＩＨ装置は、ＭＡＣ装置と通信を行い、ＭＡＣ装置からのＭＩＨトリガの受信時に、ハンドオーバを実行するように構成される。
【０００９】
ＷＬＡＮにおいてＭＩＨ情報を提供するための通信フレームは、ＭＩＨ情報フィールドと、ＭＩＨ測定モードフィールドと、を含む。
【００１０】
本発明のより詳しい理解は、例として与えられ、添付の図面と併せて理解される、好ましい実施形態についての以下の説明から得られるであろう。
【発明を実施するための最良の形態】
【００１１】
これ以降、「ステーション」（ＳＴＡ）という用語は、無線送信／受信ユニット（ＷＴＲＵ）、ユーザ機器、固定もしくは移動加入者ユニット、ページャ、または無線環境において動作可能なその他の任意のタイプの装置を含むが、それらに限定されない。「アクセスポイント」（ＡＰ）という用語は、これ以降で言及される場合、基地局、ノードＢ、サイトコントローラ、または無線環境におけるその他の任意のタイプのインタフェース装置を含むが、それらに限定されない。
【００１２】
本発明は、８０２．１１ベースライン、８０２．１１ａ  ＯＦＤＭ  ５ＧＨｚ  ＷＬＡＮ、８０２．１１ｂ  ＨＲ−ＤＳＳＳ  ２．４ＧＨｚ  ＷＬＡＮ、８０２．１１ｅ  ＱｏＳ拡張（ＷＭＭおよびＷＭＭ／２ブランドを含む）、８０２．１１ｇ  ＯＦＤＭ  ２．４ＧＨｚ  ＷＬＡＮ、８０２．１１ｊ  ＯＦＤＭ  １０ＭＨｚオプションＷＬＡＮ、８０２．１１ｋ無線資源測定、８０２．１１ｎ高スループットＷＬＡＮ、８０２．１１ｓ  ＥＳＳメッシュ、８０２．１１ｖ無線ネットワーク管理、および８０２．２１メディア独立ハンドオーバなどのＩＥＥＥ８０２技術に適用することができるが、それらに限定されない。本発明は、３ＧＰＰおよび３ＧＰＰ２などのセルラ規格、ならびに８０２．１５  Ｂｌｕｅｔｏｏｔｈ、ＨＩＰＥＲＬＡＮ／２などのＩＥＥＥ８０２  ＷＬＡＮに類似した標準化または独自仕様の無線技術にも適用される。
【００１３】
本発明は、既存の８０２．１１ｋおよび８０２．１６手順を使用して、メディア独立ハンドオーバ（ＭＩＨ）トリガを構成する、方法およびシステムを提供する。同位レイヤに向けて測定値報告を生成するのと同時に、トリガがより高位のレイヤに向けて生成される。トリガは、ピアツーピアの測定値報告と独立に生成されることもできるが、下位レイヤからの測定機能を使用する。
【００１４】
本発明は、下位レイヤで生じた状態変化を識別する手段としてのトリガの使用を含む。状態を変化させる手順は、より高位のレベルで取り組まれる。一例として、本発明は、上位レイヤによって提供される構成情報に基づいた下位レイヤで特定の変化があった場合に、上位レイヤエンティティに、やはりトリガと呼ばれる通知を送信することを含む。下位レイヤでの変化の一例は、例えば１０Ｍビット／秒という、所定の最低データレートを提供する下位レイヤの能力である。これは、上位レイヤが、この変化に反応するために下位レイヤを構成する手段を有するということである。この例に従うと、下位レイヤは、下位レイヤによって提供されるデータレートが１０Ｍビット／秒より下に落ちると直ちに、イベント通知をトリガする。
【００１５】
さらに、ポーリングメカニズムを使用して下位レイヤに測定値を要求する、独自仕様の方法も利用可能である。ポーリングメカニズムは、特にハンドオーバが差し迫っているときに、測定値を有益なものにするリアルタイム要素を欠いているので、好ましい解決策ではない。上述の例を使用すると、より高位のレイヤのポーリングメカニズムは、定期的に下位レイヤにデータレート情報を要求し、データレート要件が満たされているかどうかを検査しなければならない。この手順は、２つの主要な難点を有する。第１に、状態が変化したかどうかを見出すために必要とされるメッセージの数が、かなり多くなり得る。第２に、ポーリングはトリガよりも少なくとも２倍多くの信号（各ポーリングメッセージ用に１つ、各応答メッセージ用に１つ）を必要とするので、状態が変化したかどうかを見出すために必要とされる時間が、より長くなり得る。
【００１６】
図１は、既存の測定値要求フレーム１００の図である。フレーム１００は、カテゴリフィールド１０２と、アクションフィールド１０４と、ダイアログトークンフィールド１０６と、反復回数フィールド１０８と、１つまたは複数の測定値要求要素１１０とを含む。カテゴリフィールド１０２は、無線測定値カテゴリを表す事前定義値に設定される。アクションフィールド１０４は、測定値要求を表す事前定義値に設定される。ダイアログトークンフィールド１０６は、測定値要求フレーム１００を送信するＳＴＡによって、特定の要求を識別するように設定される。反復回数フィールド１０８は、フレーム１００内の測定値要求要素１１０の各々に関して実行された反復の回数を表す。各測定値要求要素１１０は、何が測定されるべきかを表す。
【００１７】
一実施形態では、本発明は、ＭＩＨハンドオーバパラメータの自動構成を使用する。この方法は、８０２．１１および８０２．１６の両方に適用可能な既存の媒体アクセス制御（ＭＡＣ）管理メッセージを使用することに基づいている。この実施形態では、ＭＩＨパラメータが、図２に示されるように、測定値要求メッセージに追加される。
【００１８】
図２は、ＭＩＨ情報を含む測定値要求フレーム２００の図である。フレーム２００は、カテゴリフィールド２０２と、アクションフィールド２０４と、ダイアログトークンフィールド２０６と、反復回数フィールド２０８と、ＭＩＨ情報フィールド２１０と、ＭＩＨ測定モードフィールド２１２と、１つまたは複数の測定値要求要素２１４とを含む。フィールド２０２〜２０８は、図１に関連して上で説明されたフィールド１０２〜１０８と同じである。ＭＩＨ情報フィールド２１０は、測定値要求メッセージが、ＭＩＨイベントを生成する目的のパラメータを構成するために使用されることを表す。ＭＩＨ測定モードフィールド２１２は、実行されるべき測定のタイプの識別子を表す。ＭＩＨ測定モードフィールド２１２の内容の一例が、表１に示されており、このフィールドは、その他の測定および報告オプションを含むように、拡張されることができる。各測定値要求要素２１４は、何が測定され、また報告されるべきかを表す。
【００１９】
【表１】
2008533917.tif 000003
【００２０】
メッセージ２００内のビットの特定の割り当ては、変更してもよいことに留意されたい。本発明は、特に、代替ＭＩＨ構成ビークル（ａｌｔｅｒｎａｔｉｖｅ  ＭＩＨ  ｃｏｎｆｉｇｕｒａｔｉｏｎ  ｖｅｈｉｃｌｅ）としての、および下位レイヤの測定機能にアクセスする手段としての、これらの測定値メッセージの使用を目標としている。
【００２１】
図３は、同期トリガ生成および測定値報告生成のために構成されるシステム３００の図である。システム３００は、ＳＴＡ３０２と、ＷＬＡＮノード３０４とを含む。ＷＬＡＮノード３０４は、ＭＩＨ機能を収めることが可能な任意のタイプの８０２．１１または８０２．１６ノードを含むことができる。ＳＴＡ３０２は、物理レイヤ３１０と、ＭＡＣ機能３１４を有するＭＡＣレイヤ３１２と、ＬＬＣレイヤ３１６とを含む。第１のサービスアクセスポイント（ＳＡＰ）３１８は、物理レイヤ３１０とＭＡＣレイヤ３１２とを接続し、第２のＳＡＰ３２０は、ＭＡＣレイヤ３１２とＬＬＣレイヤ３１６とを接続する。
【００２２】
ノード３０４は、物理レイヤ３３０と、ＭＡＣ機能３３４を有するＭＡＣレイヤ３３２と、ＬＬＣレイヤ３３６と、ＭＩＨ機能３４０を含むＭＩＨレイヤ３３８とを含む。ＭＩＨ  ＭＡＣ  ＳＡＰ３４２とＳＡＰ３４４は、ＭＡＣレイヤ３３２をＭＩＨレイヤ３３８と接続する。
【００２３】
図３に示される実施形態では、ノード３０４が、測定を行い、ＭＡＣ機能３３４が、ＳＴＡ３０２に送信される測定値報告３５０を生成する。ＭＡＣ機能３３４は、測定値がハンドオーバが行われるべきであることを示しているならば、イベント３５２も生成する。イベント３５２は、ＭＩＨ  ＭＡＣ  ＳＡＰ３４２に転送され、次にＭＩＨ  ＭＡＣ  ＳＡＰ３４２からＳＡＰ３４４に転送され、ＭＩＨ機能３４０によって処理される。
【００２４】
測定がＳＴＡ３０２で行われる場合は、測定値報告３５０は、ＳＴＡ３０２内のＭＡＣ機能３１４からノード３０４内のＭＡＣ機能３３４に送信される（図３における測定値報告３５０の矢印は反転される）。その後、ＭＡＣ機能３３４は、イベント３５２をトリガすべきかどうかを決定するために、測定値報告を評価する。
【００２５】
図３に示されるように、ＭＩＨトリガ生成（イベント３５２）は、測定値報告３５０と同期させられる。これは、測定値報告メッセージ３５０がＭＡＣ同位エンティティ３１４に向けて生成されるのと同時に、イベントが上位レイヤに向けて、特にＭＩＨレイヤ３３８に向けてトリガされる特別のケースに取り組む。イベント３５２が、上位レイヤからトリガされ、測定値報告３５０が、同時に生成されることができる。
【００２６】
ハンドオーバトリガイベント３５２は、測定値報告３５０が存在しなくても、ＭＡＣ機能３３４によって生成されることができることに留意されたい。イベント３５２は、ノード３０４による内部監視に基づいて、または定期的にトリガされることができる。当業者であれば、ハンドオーバトリガイベント３５２を生成するその他の様々な方法を想像することができることにも留意されたい。測定値を報告するとき、一般に３つの動作モードが存在し、ＳＴＡは、特定の動作モード用に構成される。１つのモードは、測定値を同位エンティティ（例えば、その他のＳＴＡまたはＡＰ）に送信し、トリガを同時にＭＩＨ機能に送信するものである。第２のモードは、測定値が利用可能なときに、トリガをＭＩＨ機能に送信するものである。第３のモードは、測定値を同位エンティティに報告するものである（すなわち、ＭＩＨビットがオフにされたとき）。
【００２７】
図４は、同期トリガ生成および測定値報告生成のための方法４００のフローチャートである。方法は、測定値報告要求メッセージを、ＷＬＡＮ内の測定エンティティに送信することによって開始する（ステップ４０２）。測定が、測定エンティティによって行われ、測定値報告応答メッセージが、測定エンティティによって送信され、ＭＩＨ機能を含むＷＬＡＮノード内のＭＡＣ機能によって受信される（ステップ４０４）。ＭＡＣ機能は、測定値を評価し（ステップ４０６）、ハンドオーバトリガ条件が満たされているかどうかを決定する（ステップ４０８）。ハンドオーバトリガ条件が満たされていない場合、方法は終了する（ステップ４１０）。
【００２８】
ハンドオーバトリガ条件が満たされている場合（ステップ４０８）、ＭＡＣ機能は、ハンドオーバトリガメッセージを生成する（ステップ４１２）。ＭＡＣ機能は、ハンドオーバトリガメッセージをＭＩＨ機能に送信し（ステップ４１４）、方法は終了する（ステップ４１０）。
【００２９】
方法４００の代替実施形態では、測定値報告メッセージは送信されず、方法は、ＭＡＣ機能がハンドオーバトリガ条件が満たされているかどうかを決定する、ステップ４０８から開始する。
【００３０】
図５は、同期トリガ生成および測定値報告生成のための装置５００の図である。装置５００は、測定装置５０２と、測定装置５０２と通信を行うＭＡＣ装置５０４と、ＭＡＣ装置５０４と通信を行うＭＩＨ装置５０６とを含む。ＭＡＣ装置５０４は、測定値要求装置５１０と、測定値評価装置５１２と、ハンドオーバトリガ装置５１４とを含む。
【００３１】
動作において、測定値要求装置５１０は、測定値報告要求メッセージ５２０を、測定装置５０２に送信する。測定装置５０２は、要求された測定値を取得し、測定値報告応答メッセージ５２２を、測定値評価装置５１２に送信する。測定値評価装置５１２は、測定値を評価し、ハンドオーバが必要とされているかどうかを決定する。ハンドオーバが必要とされているならば、測定値評価装置は、ハンドオーバトリガ装置５１４に渡されるイベント５２４を生成する。ハンドオーバトリガ装置５１４は、ハンドオーバトリガメッセージ５２６を、ＭＩＨ装置５０６に送信し、ＭＩＨ装置５０６は、ハンドオーバの実行に着手する。
【００３２】
実施形態
１．無線ローカルエリアネットワークにおいてメディア独立ハンドオーバ（ＭＩＨ）トリガを生成するための方法であって、測定値報告要求メッセージを、前記ネットワーク内の測定エンティティに送信するステップと、前記測定エンティティにおいて測定値を取得するステップと、測定値報告応答メッセージを、媒体アクセス制御（ＭＡＣ）機能に送信するステップと、前記ＭＡＣ機能によって前記測定値を評価するステップと、前記測定値に基づいて、ハンドオーバ条件が存在するかどうかを決定するステップと、前記ハンドオーバ条件が存在するならば、前記ＭＡＣ機能によってＭＩＨトリガを生成するステップと、を含むことを特徴とする方法。
【００３３】
２．ハンドオーバを実行するために、前記ＭＩＨトリガを、ＭＩＨ機能に送信するステップをさらに含むことを特徴とする実施形態１による方法。
【００３４】
３．前記ＭＩＨ機能および前記ＭＡＣ機能は、前記ネットワーク内の同じノード内に配置されることを特徴とする実施形態１または２の１つによる方法。
【００３５】
４．前記ネットワークは、８０２．１１ベースのネットワークであることを特徴とする実施形態１〜３の１つによる方法。
【００３６】
５．前記ネットワークは、８０２．１６ベースのネットワークであることを特徴とする実施形態１〜３の１つによる方法。
【００３７】
６．無線ローカルエリアネットワークにおいてメディア独立ハンドオーバ（ＭＩＨ）トリガを生成するための方法であって、ハンドオーバ条件が存在するかどうかを決定するステップと、前記ハンドオーバ条件が存在するならば、媒体アクセス制御（ＭＡＣ）機能によってＭＩＨトリガを生成するステップと、を含むことを特徴とする方法。
【００３８】
７．ハンドオーバを実行するために、前記ＭＩＨトリガを、ＭＩＨ機能に送信するステップをさらに含むことを特徴とする実施形態６による方法。
【００３９】
８．前記ＭＩＨ機能および前記ＭＡＣ機能は、前記ネットワーク内の同じノード内に配置されることを特徴とする実施形態６または７による方法。
【００４０】
９．前記ネットワークは、８０２．１１ベースのネットワークであることを特徴とする実施形態６〜８の１つによる方法。
【００４１】
１０．前記ネットワークは、８０２．１６ベースのネットワークであることを特徴とする実施形態６〜８の１つによる方法。
【００４２】
１１．無線ローカルエリアネットワークにおいてメディア独立ハンドオーバ（ＭＩＨ）トリガを生成するための装置であって、前記ネットワークにおいて測定値を取得するように構成される測定装置と、前記測定装置と通信を行い、前記測定装置によって取得された測定値に基づいて、ＭＩＨトリガを生成するように構成される媒体アクセス制御（ＭＡＣ）装置と、前記ＭＡＣ装置と通信を行い、前記ＭＡＣ装置からの前記ＭＩＨトリガの受信時に、ハンドオーバを実行するように構成されるＭＩＨ装置と、を含むことを特徴とする装置。
【００４３】
１２．前記測定装置は、取得された前記測定値を含む測定値報告メッセージを送信するように構成されることを特徴とする実施形態１１による装置。
【００４４】
１３．前記ＭＡＣ装置は、測定値を取得するように前記測定装置に要求するために、測定値報告要求メッセージを、前記測定装置に送信するように構成されることを特徴とする実施形態１１または１２による装置。
【００４５】
１４．前記測定値報告要求メッセージは、前記測定装置が測定すべき要素のリストを含むことを特徴とする実施形態１３による装置。
【００４６】
１５．前記ＭＡＣ装置は、前記測定装置と通信を行う測定値要求装置と、前記測定装置と通信を行う測定値評価装置と、前記測定値評価装置および前記ＭＩＨ装置と通信を行うハンドオーバトリガ装置と、を含むことを特徴とする実施形態１１〜１４の１つによる装置。
【００４７】
１６．前記測定値要求装置は、測定値を取得するように前記測定装置に要求するために、測定値報告要求メッセージを、前記測定装置に送信するように構成されることを特徴とする実施形態１５による装置。
【００４８】
１７．前記測定値報告要求メッセージは、前記測定装置が測定すべき要素のリストを含むことを特徴とする実施形態１６による装置。
【００４９】
１８．前記測定装置は、取得された前記測定値を含む測定値報告メッセージを、前記測定値評価装置に送信するように構成されることを特徴とする実施形態１５〜１７の１つによる装置。
【００５０】
１９．前記測定値評価装置は、前記測定値を評価するように構成され、前記測定値がハンドオーバ条件が存在することを示すならば、前記ハンドオーバトリガ装置に送信されるイベントを生成するように構成されることを特徴とする実施形態１５〜１８の１つによる装置。
【００５１】
２０．前記ハンドオーバトリガ装置は、前記イベントの受信時に、ハンドオーバトリガメッセージを、前記ＭＩＨ装置に送信するように構成されることを特徴とする実施形態１５〜１９の１つによる装置。
【００５２】
２１．無線ローカルエリアネットワークにおいてメディア独立ハンドオーバ（ＭＩＨ）情報を提供するための通信フレームであって、ＭＩＨ情報フィールドと、ＭＩＨ測定モードフィールドと、を含むことを特徴とする通信フレーム。
【００５３】
２２．前記ＭＩＨ情報フィールドは、実行されるハンドオーバのタイプの識別子を含むことを特徴とする実施形態２１による通信フレーム。
【００５４】
２３．前記ＭＩＨ測定モードフィールドは、実行される測定のタイプを指定することを特徴とする実施形態２１または２２による通信フレーム。
【００５５】
本発明の特徴および要素が、好ましい実施形態において、特定の組み合わせで説明されたが、各特徴または要素は、（好ましい実施形態の他の特徴および要素を伴わずに）単独で使用されることができ、または本発明の他の特徴および要素を伴うもしくは伴わない様々な組み合わせで使用されることができる。
【図面の簡単な説明】
【００５６】
【図１】既存の測定値要求フレームの図である。
【図２】ＭＩＨ情報を含む測定値要求フレームの図である。
【図３】同期トリガ生成および測定値報告生成のために構成されるシステムの図である。
【図４】同期トリガ生成および測定値報告生成のための方法のフローチャートである。
【図５】同期トリガ生成および測定値報告生成のための装置の図である。
【図１】
2008533917.tif 000004
【図２】
2008533917.tif 000005
【図３】
2008533917.tif 000006
【図４】
2008533917.tif 000007
【図５】
2008533917.tif 000008
【国際調査報告】
2008533917.tif 000009